(57)【要約】【課題】取付部材がねじによって取り付けられるグリップ部の壁部の厚さを薄くすることができるシャワーヘッドを提供する。【解決手段】シャワーヘッド１１は、グリップ部１２内に取り付けられた第１パイプ部材６７と、グリップ部１２の壁部に設けられてマグネットユニット１４がねじ７８によって取り付けられる取付部７９とを備える。取付部７９は、壁部を貫通する貫通孔８１と、貫通孔８１に挿入されるフランジナット８２とを備える。フランジナット８２は、回転及び壁部の外側への移動が規制された状態で第１パイプ部材６７に接触している。【選択図】図１０
2020025775.tif 000002
【特許請求の範囲】
【請求項１】
グリップ部と、
前記グリップ部内に取り付けられたインナー部材と、
前記グリップ部の壁部に設けられ、取付部材がねじによって取り付けられる取付部と、
を備えたシャワーヘッドであって、
前記取付部は、
前記壁部を貫通する貫通孔と、
前記貫通孔に挿入されるナットと、
を備え、
前記ナットは、回転及び前記壁部の外側への移動が規制された状態で、前記インナー部材に接触していることを特徴とするシャワーヘッド。
【請求項２】
前記ナットは、フランジ部と外形が非真円形状をなすナット部とを有し、前記ナット部が前記壁部の内側から前記貫通孔に挿入されるフランジナットであり、
前記貫通孔は、前記ナット部の外形と対応する形状になっており、
前記フランジ部は、前記貫通孔よりも最大幅が広いことを特徴とする請求項１に記載のシャワーヘッド。
【請求項３】
前記インナー部材における前記ナットと対応する位置には、前記ナットが前記壁部の外側から内側に向かって押圧された場合に前記ナットを受け止める受止部が設けられていることを特徴とする請求項１または請求項２に記載のシャワーヘッド。
【発明の詳細な説明】
【技術分野】
【０００１】
本発明は、シャワーヘッドに関する。
【背景技術】
【０００２】
従来、シャワーヘッドとして、例えば特許文献１に記載されたものが知られている。このシャワーヘッドは、内部に通路が形成され、先端部に多数の孔からなる散水口が設けられている。シャワーヘッドの基端部における散水口側とは反対側の背面側には、吸着部が突設されている。吸着部は箱形をなす合成樹脂製のケース部を有し、ケース部内には永久磁石及びヨークが収容されている。永久磁石及びヨークは、ねじによってケース部に固定されている。
【先行技術文献】
【特許文献】
【０００３】
【特許文献１】実開平２−８０１７３号公報
【発明の概要】
【発明が解決しようとする課題】
【０００４】
ところで、上述のシャワーヘッドでは、永久磁石及びヨークがねじによって合成樹脂製のケース部に固定されている。このため、ケース部にねじが十分に螺入できるようにケース部の厚さをかなり厚くする必要があるので、吸着部の厚さが厚くなってしまうという問題がある。
【０００５】
本発明は、このような実情に着目してなされた。その目的は、取付部材がねじによって取り付けられるグリップ部の壁部の厚さを薄くすることができるシャワーヘッドを提供することにある。
【課題を解決するための手段】
【０００６】
以下、上記課題を解決するための手段及びその作用効果について記載する。
上記課題を解決するシャワーヘッドは、グリップ部と、前記グリップ部内に取り付けられたインナー部材と、前記グリップ部の壁部に設けられ、取付部材がねじによって取り付けられる取付部と、を備えたシャワーヘッドであって、前記取付部は、前記壁部を貫通する貫通孔と、前記貫通孔に挿入されるナットと、を備え、前記ナットは、回転及び前記壁部の外側への移動が規制された状態で、前記インナー部材に接触していることを要旨とする。
【０００７】
この構成によれば、取付部のナットにねじを螺入することによって取付部材をグリップ部の壁部に取り付けることができるので、上記壁部にねじを直接螺入する必要がない。このため、グリップ部の壁部の厚さをねじが十分に螺入できる厚さまで厚くする必要がない。したがって、取付部材がねじによって取り付けられるグリップ部の壁部の厚さを薄くすることができる。
【０００８】
上記シャワーヘッドにおいて、前記ナットは、フランジ部と外形が非真円形状をなすナット部とを有し、前記ナット部が前記壁部の内側から前記貫通孔に挿入されるフランジナットであり、前記貫通孔は、前記ナット部の外形と対応する形状になっており、前記フランジ部は、前記貫通孔よりも最大幅が広いことが好ましい。
【０００９】
この構成によれば、フランジナットのフランジ部は、貫通孔よりも最大幅が広いため、グリップ部の壁部の外側へのフランジナットの移動を規制する規制部として機能する。すなわち、ナットをフランジナットにすることで、グリップ部の壁部の外側へのナットの移動を規制する規制部をグリップ部の壁部に設ける必要がないので、グリップ部の壁部の厚さをより一層薄くすることができる。
【００１０】
上記シャワーヘッドにおいて、前記インナー部材における前記ナットと対応する位置には、前記ナットが前記壁部の外側から内側に向かって押圧された場合に前記ナットを受け止める受止部が設けられていることが好ましい。
【００１１】
この構成によれば、ナットにねじを螺入する場合に、受止部によってナットががたつくことを抑制できる。
【発明の効果】
【００１２】
本発明によれば、取付部材がねじによって取り付けられるグリップ部の壁部の厚さを薄くすることができる。
【図面の簡単な説明】
【００１３】
【図１】一実施形態のシャワーヘッドの斜視図。
【図２】図１の断面図。
【図３】図１の分解斜視図。
【図４】アウターヘッドの斜視図。
【図５】インナーヘッドの斜視図。
【図６】図５を反対側から見たときの斜視図。
【図７】ヘッド部の断面図。
【図８】ヘッド部とグリップ部との連結部分を示す断面図。
【図９】ヘッド部とグリップ部との連結部分を示す側面図。
【図１０】マグネットユニットがねじによって取付部に取り付けられたときの状態を示す断面図。
【図１１】アウターヘッドにインナーヘッドを取り付けるときの状態を示す断面図。
【図１２】アウターヘッドにインナーヘッドを取り付けるときの状態を示す断面図。
【図１３】アウターヘッドにインナーヘッドを取り付けるときの状態を示す断面図。
【図１４】アウターヘッドにインナーヘッドを取り付けたときの状態を示す斜視図。
【図１５】変形例における取付部を示す要部拡大断面模式図。
【図１６】別の変形例における取付部を示す要部拡大断面模式図。
【発明を実施するための形態】
【００１４】
以下、シャワーヘッドの一実施形態を図面に従って説明する。
図１及び図２に示すように、シャワーヘッド１１は、略直線状に延びる棒状をなす合成樹脂製のグリップ部１２と、グリップ部１２の先端にグリップ部１２に対して略４５度程度の角度で傾斜するように回転可能に設けられた略矩形板状のヘッド部１３とを備えている。グリップ部１２の先端部におけるヘッド部１３が傾斜した側とは反対側の面には、シャワールームなどの磁性を有した壁面に対して磁力によって着脱自在に吸着可能な吸着部の一例としてのマグネットユニット１４が設けられている。
【００１５】
図２及び図３に示すように、ヘッド部１３は、略有底矩形箱状をなすアウターヘッド１５と、内部に通水可能であってアウターヘッド１５に対して直接取り付けられるインナーヘッド１６と、インナーヘッド１６に取り付けられるとともにアウターヘッド１５と対応する略矩形状をなす散水板１７とを備えている。
【００１６】
図３及び図４に示すように、アウターヘッド１５は、外面及び内面が共に曲面状をなしており、内面側の深さが基端側から先端側に向かうほど徐々に浅くなっている。アウターヘッド１５の内底面１８における中央部には、位置決め部を構成する円筒状の位置決め凸部１９が形成されている。内底面１８における位置決め凸部１９よりも基端寄りの位置には、幅方向Ｘに距離を置いて並ぶ一対の円筒状のボス部２０が形成されている。内底面１８における位置決め凸部１９よりも先端寄りの位置には、幅方向Ｘに距離を置いて並ぶ一対の円筒状の当接部２１が形成されている。
【００１７】
内底面１８における先端部、すなわち内底面１８における当接部２１よりも先端側の位置であって幅方向Ｘの中央部には、門型の掛止部２２が形成されている。掛止部２２は、幅方向Ｘに直線状に延びる梁部２３と、梁部２３の両端部と内底面１８とをそれぞれ連結する一対の直線状に延びる柱部２４とを備えている。梁部２３の長さは、柱部２４の長さよりも長くなっている。したがって、掛止部２２と内底面１８との間には、幅方向Ｘに延びる略矩形状の掛止孔２５が形成される。
【００１８】
アウターヘッド１５の基端部に位置する側壁２６には、側壁２６をＵ字状に切り欠いてなる第１開口部２７が形成されている。側壁２６における第１開口部２７を幅方向Ｘで挟んだ両側には、孔２８が対をなすように貫通して形成されている。
【００１９】
図３、図５及び図６に示すように、インナーヘッド１６は、アウターヘッド１５と散水板１７とで挟まれた状態で配置される。インナーヘッド１６は、先端側に円板状のカップ部２９を有し、基端側にカップ部２９と一体形成されるとともにカップ部２９の径方向に延びる管部３０を有している。カップ部２９におけるアウターヘッド１５側の面は第１面３１とされ、カップ部２９における散水板１７側の面は第２面３２とされている。
【００２０】
図５及び図６に示すように、カップ部２９の第１面３１の中央部には円形に隆起した隆起部３３が形成され、カップ部２９の第２面３２の中央部には散水板取付部の一例としての円形の凹部３４が形成されている。隆起部３３と凹部３４とは表裏一体に形成され、第２面３２の中央部を円形に窪ませて凹部３４を形成することによって第１面３１の中央部に円形の隆起部３３が形成される。
【００２１】
隆起部３３の中央部には位置決め部を構成する位置決め凹部３５が形成され、凹部３４の中央部には円形の凸部３６が形成されている。位置決め凹部３５と凸部３６とは表裏一体に形成され、凹部３４の中央部を円形に隆起させて凸部３６を形成することによって隆起部３３の中央部に位置決め凹部３５が形成される。管部３０は、第１面３１上に形成され、先端部３０ａが隆起部３３に連結され、基端部３０ｂがカップ部２９の周縁よりも径方向の外側に突出している。管部３０内は、凹部３４内と連通している。凹部３４の内側面には、雌ねじ部３７が形成されている。
【００２２】
管部３０の基端部３０ｂは円筒状をなしており、基端部３０ｂの周面におけるカップ部２９側の端部には幅方向Ｘの両側に延びる略矩形板状のフランジ３８が設けられている。フランジ３８における基端部３０ｂを挟んだ幅方向Ｘの両側には孔３９が対をなすように貫通して形成されている。フランジ３８のカップ部２９側の面における一対の孔３９と対応する位置には、一対の孔３９をそれぞれ延長する一対の有底円筒状の孔延長部４０が形成されている。一対の孔延長部４０は、フランジ３８とカップ部２９の周縁部とを連結している。
【００２３】
管部３０における基端部３０ｂ側の端面には、複数の鋸歯状の第１噛合突起４１が周方向に等間隔となるように周方向全体にわたって設けられている。基端部３０ｂの外周面における第１噛合突起４１側の端部には、環状の溝４２が形成されている。カップ部２９の第１面３１における隆起部３３と２つの孔延長部４０との間には、挿通孔４３が対をなすようにそれぞれ貫通して形成されている。これら一対の挿通孔４３は、管部３０を幅方向Ｘに挟んで対向している。
【００２４】
第１面３１における中央部よりも先端側寄りの位置には、一対の十字状の突起４４が隆起部３３を幅方向Ｘに挟んで対向するように設けられている。第１面３１における先端部、すなわち第１面３１における一対の突起４４よりも先端側の位置であって幅方向Ｘの中央部には、被掛止部４５が形成されている。被掛止部４５は、カップ部２９の軸方向で対向する一対の矩形板状の側壁４６と、一対の側壁４６の基端部同士を連結する矩形板状の底壁４７とを有しており、一対の側壁４６のうちの第１面３１側の側壁４６が第１面３１に固定されている。底壁４７及び一対の側壁４６は、幅方向Ｘに延びる溝４８を形成する。
【００２５】
図３〜図５に示すように、アウターヘッド１５にインナーヘッド１６を取り付ける際には、被掛止部４５が掛止部２２によって掛止され、一対のボス部２０に一対の挿通孔４３がそれぞれ当接し、一対の当接部２１に一対の突起４４がそれぞれ当接し、位置決め凹部３５と位置決め凸部１９とが凹凸嵌合（すきま嵌め）し、一対の孔３９が一対の孔２８とそれぞれ対向し、管部３０の基端部３０ｂが第１開口部２７に挿入される。
【００２６】
そして、一対のねじ４９を一対の挿通孔４３に挿通した状態で一対のボス部２０にそれぞれ螺入するとともに、一対のねじ５０を一対の孔２８に挿通した状態で一対の孔３９から一対の孔延長部４０内にそれぞれ螺入することにより、アウターヘッド１５にインナーヘッド１６が収容された状態でアウターヘッド１５にインナーヘッド１６が固定される。
【００２７】
この場合、図７に示すように、アウターヘッド１５の第１開口部２７からは、インナーヘッド１６の一部である管部３０の基端部３０ｂの一部がアウターヘッド１５外へ突出する。本実施形態では、インナーヘッド１６の管部３０の基端部３０ｂにおける第１開口部２７からアウターヘッド１５外へ突出する部分が第１突出部を構成している。したがって、インナーヘッド１６の一部が第１開口部２７から突出するという第１条件は満たされている。
【００２８】
また、本実施形態では、インナーヘッド１６のカップ部２９の先端部に設けられた被掛止部４５と、インナーヘッド１６のカップ部２９の基端部に設けられた一対の挿通孔４３とによってアウターヘッド１５に対して固定可能な固定部が構成されている。そして、上述したように、アウターヘッド１５にインナーヘッド１６を取り付ける際には、被掛止部４５が掛止部２２によって掛止され、一対の挿通孔４３が一対のねじ４９によって一対のボス部２０に固定される。
【００２９】
図３、図６及び図７に示すように、散水板１７の内面には、インナーヘッド１６のカップ部２９に外嵌可能な円環状のリブ５１が立設されている。散水板１７の中央部には、インナーヘッド１６の凹部３４と対応する孔５２が貫通するように形成されている。散水板１７におけるリブ５１と孔５２との間の領域には、湯水を散水するための多数の小さな散水口５３が形成されている。
【００３０】
散水板１７の孔５２には、散水板１７をインナーヘッド１６の凹部３４に取り付けるための有底円筒状のインナーフェイス５４が挿入可能になっている。インナーフェイス５４の外周面には、凹部３４の雌ねじ部３７と螺合可能な雄ねじ部５５が形成されている。そして、インナーフェイス５４を散水板１７の孔５２に挿入した状態で凹部３４内に螺入することにより、インナーフェイス５４によって散水板１７がインナーヘッド１６に取り付けられる。
【００３１】
これにより、アウターヘッド１５の開口部５６が散水板１７によって閉塞される。インナーフェイス５４の底壁には、散水口５３よりも径が若干大きい複数の散水口５７が形成されている。なお、インナーフェイス５４内には、複数の孔５８を有した円形のミストプレート５９が配置されている。
【００３２】
図２及び図３に示すように、グリップ部１２は、側面に略矩形状の開口部６０が形成されたケース６１と、開口部６０を塞ぐようにケース６１に対して着脱自在に取り付けられる略矩形板状のカバー６２とを備えている。ケース６１の先端には円形の第２開口部６３が形成され、ケース６１の基端には円形の第３開口部６４が形成されている。ケース６１内には、ケース６１よりも若干長いインナー部材の一例としてのパイプ部材６５が収容された状態で略Ｕ字状の取付具６６によって取り付けられている。
【００３３】
パイプ部材６５は、内部に通水可能であり、長手方向において２つに分割されている。すなわち、パイプ部材６５は、ケース６１内の先端側に配置された第１パイプ部材６７と、ケース６１内の基端側に配置された第２パイプ部材６８とを備えている。第１パイプ部材６７の先端部６７ａは、円筒状をなしており、ヘッド部１３側に屈曲している。
【００３４】
この場合、第１パイプ部材６７の先端部６７ａの一部は、第２開口部６３からケース６１外に突出する。本実施形態では、第１パイプ部材６７の先端部６７ａにおける第２開口部６３からケース６１外へ突出する部分が第２突出部を構成している。したがって、パイプ部材６５の一部が第２開口部６３から突出するという第２条件は満たされている。第１パイプ部材６７の基端部６７ｂにおけるカバー６２側とは反対側の面には、一対の孔６９を有した孔形成部７０が設けられている。
【００３５】
第２パイプ部材６８の先端部６８ａは、第１パイプ部材６７の基端部６７ｂと連通状態で連結されている。第２パイプ部材６８の基端部６８ｂは、第３開口部６４からケース６１外に突出している。第２パイプ部材６８の基端部６８ｂには、シャワーヘッド１１に対して湯水を供給するための図示しないホースなどが接続されるようになっている。なお、カバー６２の内面における先端部には、第１パイプ部材６７を避けるように円筒状の一対のボス部７１が形成されている。すなわち、一対のボス部７１は、第１パイプ部材６７を挟んだ両側に配置される。
【００３６】
図８及び図９に示すように、第１パイプ部材６７の先端部６７ａは、コイルばね７２及び円環状のストッパー７３に挿通された状態で、インナーヘッド１６の管部３０の基端部３０ｂに回転可能に挿嵌されている。すなわち、インナーヘッド１６と第１パイプ部材６７とは連通状態で回転可能に接続されている。この場合、インナーヘッド１６の管部３０の基端部３０ｂ及び第１パイプ部材６７の先端部６７ａのそれぞれの軸線は、互いに一致しているとともに、グリップ部１２に対するヘッド部１３の回転中心になっている。
【００３７】
さらにこの場合、第１パイプ部材６７の先端部６７ａの外周面には、先端部６７ａの外周面と基端部３０ｂの内周面との間を水密状態となるようにシールするＯリングなどのシール部材１１０が２つ装着されている。先端部６７ａの軸方向において、これら２つのシール部材１１０の位置は第１開口部２７の位置及び第２開口部６３の位置とそれぞれ一致している。
【００３８】
インナーヘッド１６の管部３０の基端部３０ｂは、第２開口部６３からケース６１内に挿入されている。すなわち、インナーヘッド１６の管部３０の基端部３０ｂには、第２開口部６３が外嵌している。ストッパー７３は、第１パイプ部材６７の先端部６７ａに対して、軸線方向に摺動可能であって且つ周方向に回転不能となるように、係合している。ストッパー７３における管部３０の基端部３０ｂ側の面には、管部３０における基端部３０ｂ側の端面に設けられた複数の鋸歯状の第１噛合突起４１と噛合可能な複数の鋸歯状の第２噛合突起７４が周方向に等間隔となるように、周方向全体にわたって設けられている。
【００３９】
コイルばね７２は、ストッパー７３を常に管部３０の基端部３０ｂ側に向かって付勢している。このため、ストッパー７３の複数の第２噛合突起７４は、管部３０の基端部３０ｂの複数の第１噛合突起４１とそれぞれ噛合している。アウターヘッド１５とケース６１との間には、管部３０の基端部３０ｂに外嵌するように潤滑用のワッシャー７５が配置されている。
【００４０】
ケース６１内に位置する管部３０の基端部３０ｂの溝４２には、管部３０の基端部３０ｂがケース６１の第２開口部６３から抜けないようにするためのＥリング７６が嵌合されている。Ｅリング７６と第２開口部６３との間には、潤滑用のワッシャー７７が配置されている。そして、ヘッド部１３をグリップ部１２に対して回転させると、ストッパー７３の複数の第２噛合突起７４と管部３０の基端部３０ｂの複数の第１噛合突起４１とが互いに他を乗り越えるように周方向に移動する。
【００４１】
すると、コイルばね７２の付勢力に抗してストッパー７３がコイルばね７２側に押されて複数の第２噛合突起７４と複数の第１噛合突起４１との噛合状態が一時的に解除される。引き続き、ヘッド部１３をグリップ部１２に対して回転させることによって、複数の第２噛合突起７４と複数の第１噛合突起４１とが互いに他を乗り越えると、コイルばね７２の付勢力によって複数の第２噛合突起７４と複数の第１噛合突起４１とが再び噛合状態となる。したがって、シャワーヘッド１１では、ヘッド部１３のグリップ部１２に対する回転角度を、第１噛合突起４１または第２噛合突起７４の１つ分の角度単位で変更することができる。
【００４２】
図３及び図１０に示すように、グリップ部１２のケース６１における先端側の位置であってカバー６２側とは反対側の壁部には、取付部材を構成する吸着部の一例としてのマグネットユニット１４がねじ７８によって取り付けられる取付部７９が設けられている。取付部７９は、ケース６１の壁部の一部を形成する略矩形板状の取付板８０と、取付板８０に貫通するように形成された非真円形状の一例である正六角形状をなす一対の貫通孔８１と、一対の貫通孔８１にそれぞれ挿入されるナットの一例としての一対のフランジナット８２とを備えている。
【００４３】
フランジナット８２は、グリップ部１２を構成する合成樹脂よりも硬い材料によって構成することが好ましい。すなわち、フランジナット８２は、例えばグリップ部１２を構成する合成樹脂よりも硬い合成樹脂、あるいは金属によって構成することが好ましい。本実施形態ではフランジナット８２が金属によって構成されている。一対の貫通孔８１は、取付板８０の長手方向において離れて並ぶように配置されている。
【００４４】
フランジナット８２は、円板状のフランジ部８３と、外形が貫通孔８１の形状と対応する正六角形状をなすナット部８４とを有している。すなわち、貫通孔８１は、ナット部８４の外形と対応する形状になっている。貫通孔８１には、ケース６１の取付板８０の内側からナット部８４が挿入される。
【００４５】
この場合、貫通孔８１及びナット部８４は共に非真円形状の一例である正六角形状であるため、貫通孔８１内でのナット部８４の回転が規制される。フランジ部８３の最大幅（直径）は、貫通孔８１の最大幅（孔径）よりも広く（大きく）なっている。したがって、フランジ部８３は、貫通孔８１を通らない。つまり、フランジナット８２は、ケース６１の取付板８０の内側からナット部８４を貫通孔８１に挿入した際に、フランジ部８３によって取付板８０の外側への移動が規制される。
【００４６】
第１パイプ部材６７における一対のフランジナット８２と対応する位置には、フランジナット８２が取付板８０の外側から内側に向かって押圧された場合にフランジナット８２を受け止める受止部８５がそれぞれ突設されている。そして、フランジナット８２は、ケース６１の取付板８０の内側からナット部８４を貫通孔８１に挿入した際に、フランジ部８３が受止部８５に接触する。つまり、フランジナット８２は、回転及び取付板８０の外側への移動が規制された状態で、受止部８５に接触する。
【００４７】
取付板８０の長手方向の両端部には、略矩形状の一対の孔８６が貫通するように形成されている。取付板８０におけるカバー６２の一対のボス部７１と対応する位置には、一対の孔８７が貫通するように形成されている。取付板８０における孔形成部７０の一対の孔６９と対応する位置には、一対の孔８８が貫通するように形成されている。
【００４８】
そして、一対のねじ８９を取付板８０の一対の孔８７にそれぞれ挿通した状態でカバー６２の一対のボス部７１に螺入することでケース６１にカバー６２が固定される。また、一対のねじ９０を取付板８０の一対の孔８８にそれぞれ挿通した状態で孔形成部７０の一対の孔６９に螺入することでケース６１に第１パイプ部材６７（パイプ部材６５）が固定される。
【００４９】
マグネットユニット１４は、略有底矩形箱状をなすマグネットケース９１と、マグネットケース９１に収容される一対の矩形板状のマグネット９２と、一対のマグネット９２に対してそれぞれ一体に貼着された一対のヨーク９３とを備えている。マグネットケース９１における取付板８０の一対の孔８６と対応する位置には、略矩形状の一対の孔９４が貫通するように形成されている。マグネットケース９１における取付板８０の一対の貫通孔８１と対応する位置には、一対の孔９９が貫通するように形成されている。
【００５０】
マグネットケース９１の裏面における長手方向の両端部には、一対の係止爪９５が形成されている。マグネットケース９１は、一対の係止爪９５を取付板８０の一対の孔８６に挿入することで取付板８０に係止される。マグネットケース９１は、係止爪９５において取付板８０に係止された後、一対の孔９４が一対のエラストマー製のキャップ９６によって塞がれる。
【００５１】
各マグネット９２の中央部には孔９７が貫通するように形成され、各ヨーク９３の中央部にはマグネット９２の孔９７と対応する孔９８が貫通するように形成されている。マグネット９２の孔９７、ヨーク９３の孔９８、マグネットケース９１の孔９９、取付板８０の貫通孔８１、及びフランジナット８２は、軸線が同一になっている。
【００５２】
そして、一対のねじ７８を一対のマグネット９２の孔９７、一対のヨーク９３の孔９８、マグネットケース９１の一対の孔９９、及び取付板８０の一対の貫通孔８１にそれぞれ挿通した状態で一対のフランジナット８２に螺入することにより、マグネットユニット１４が取付部７９に取り付けられる。
【００５３】
次に、アウターヘッド１５にインナーヘッド１６を取り付けるときの作用について説明する。
アウターヘッド１５にインナーヘッド１６を取り付ける場合には、まず、図１１に示すように、アウターヘッド１５に対してインナーヘッド１６を斜めにした状態でインナーヘッド１６の被掛止部４５をアウターヘッド１５の掛止部２２に近づけて、掛止部２２の梁部２３と被掛止部４５の溝４８とを対向させる。続いて、掛止部２２に向かってインナーヘッド１６を押圧すると、図１２に示すように、被掛止部４５の溝４８内に掛止部２２の梁部２３が挿入される。
【００５４】
続いて、掛止部２２の梁部２３を回動中心としてインナーヘッド１６をアウターヘッド１５に向かって回動させると、図１３に示すように、インナーヘッド１６がアウターヘッド１５内に収容される。このとき、アウターヘッド１５の位置決め凸部１９とインナーヘッド１６の位置決め凹部３５とが凹凸嵌合（すきま嵌め）されることで、アウターヘッド１５に対するインナーヘッド１６の位置決めがなされる。
【００５５】
さらにこのとき、インナーヘッド１６の管部３０の基端部３０ｂは、第１開口部２７に挿入される。その後、図３〜図５に示すように、一対のねじ４９を一対の挿通孔４３に挿通した状態で一対のボス部２０にそれぞれ螺入することにより、図１４に示すように、アウターヘッド１５に対するインナーヘッド１６の取り付け作業が完了する。
【００５６】
次に、グリップ部１２の取付部７９にマグネットユニット１４を取り付けるときの作用について説明する。
図３及び図１０に示すように、グリップ部１２の取付部７９にマグネットユニット１４を取り付ける場合には、まず、マグネットケース９１を係止爪９５において取付板８０に係止させる。続いて、一対のマグネット９２と一対のマグネット９２に対してそれぞれ一体に貼着された一対のヨーク９３とをマグネットケース９１に収容する。
【００５７】
続いて、一対のねじ７８を、一対のマグネット９２の孔９７、一対のヨーク９３の孔９８、及びマグネットケース９１の一対の孔９９に挿通した状態でフランジナット８２に螺入する。これにより、グリップ部１２の取付部７９に対するマグネットユニット１４の取り付け作業が完了する。
【００５８】
このとき、取付板８０の貫通孔８１及び貫通孔８１に挿入されたフランジナット８２のナット部８４は共に正六角形状であるため、貫通孔８１内でのナット部８４の回転が規制される。このため、ねじ７８をフランジナット８２に螺入する際にフランジナット８２が共回りすることが抑制される。さらにこのとき、フランジナット８２は第１パイプ部材６７の受止部８５によって内側から支えられるため、フランジナット８２が外側からねじ７８によって押圧されてもフランジナット８２ががたつくことが抑制される。したがって、ねじ７８をフランジナット８２に対して容易に螺入することができる。
【００５９】
次に、シャワーヘッド１１の使用時の作用について説明する。
図１及び図２に示すように、シャワーヘッド１１は、グリップ部１２を手で把持して散水口５３，５７から湯水を吐出させて使用される。このとき、グリップ部１２は、湯水が通水されるパイプ部材６５がケース６１内に収容された所謂二重管構造であるため、優れた断熱性を発揮する。また、シャワーヘッド１１は、グリップ部１２に対してヘッド部１３を回転させることができるので、グリップ部１２を把持した手の向きを変えなくても散水口５３，５７からの湯水の吐出方向を自由に変更することができる。
【００６０】
この場合、図８に示すように、ヘッド部１３とグリップ部１２との連結部分は、第１パイプ部材６７の先端部６７ａがインナーヘッド１６の管部３０の基端部３０ｂに回転可能に挿嵌されるとともに、ケース６１の第２開口部６３がインナーヘッド１６の管部３０の基端部３０ｂに外嵌した構造になっている。このため、グリップ部１２に対してヘッド部１３を回転させるときの回転中心がぶれ難くなるので、グリップ部１２に対してヘッド部１３を精度よく安定して回転させることができる。
【００６１】
また、図１及び図２に示すように、シャワーヘッド１１のグリップ部１２には、マグネットユニット１４が設けられている。このため、マグネットユニット１４を例えばシャワールームの磁性を有した壁面に磁力によって着脱自在に吸着させることができるので、シャワーヘッド１１を支持するためのフックなどが不要となる。この場合、シャワールームの壁面におけるシャワーヘッド１１の吸着位置に応じてグリップ部１２に対してヘッド部１３を回転させることで、湯水の吐出方向を所望の方向に調整できる。したがって、本実施形態のシャワーヘッド１１は、非常に使い勝手の良いものであると言える。
【００６２】
以上詳述した実施形態によれば、次のような効果が発揮される。
（１）シャワーヘッド１１において、インナーヘッド１６はアウターヘッド１５に対して固定可能な複数の固定部を有しており、アウターヘッド１５は複数の上記固定部のうちの一つである被掛止部４５を掛止する掛止部２２を有している。この構成によれば、掛止部２２によって掛止される被掛止部４５は、ねじを使うことなくアウターヘッド１５に固定できる。このため、アウターヘッド１５における掛止部２２によって掛止される被掛止部４５と対応する部分は、ねじを締め込むための厚さを確保する必要がなくなる。したがって、設計の自由度を向上できる。
【００６３】
（２）シャワーヘッド１１において、インナーヘッド１６は、先端部と基端部とにそれぞれ固定部を有しており、先端部に位置する固定部である被掛止部４５がアウターヘッド１５の掛止部２２によって掛止され、基端部に位置する固定部である一対の挿通孔４３が一対のねじ４９によってアウターヘッド１５の一対のボス部２０に固定されている。この構成によれば、アウターヘッド１５における掛止部２２によって掛止される被掛止部４５と対応する部分の厚さを抑制しつつ、ねじ４９によりインナーヘッド１６をアウターヘッド１５に対して強固に固定することができる。
【００６４】
（３）シャワーヘッド１１において、アウターヘッド１５には位置決め凸部１９が設けられ、インナーヘッド１６にはアウターヘッド１５にインナーヘッド１６を取り付ける際に位置決め凸部１９と凹凸嵌合することによってアウターヘッド１５に対するインナーヘッド１６の位置決めを行う位置決め凹部３５が設けられている。この構成によれば、アウターヘッド１５に対してインナーヘッド１６を精度よく取り付けることができる。
【００６５】
（４）シャワーヘッド１１において、インナーヘッド１６は、散水板１７が取り付けられる凹部３４を有している。この構成によれば、インナーヘッド１６に散水板１７を容易に取り付けることができる。
【００６６】
（５）シャワーヘッド１１において、アウターヘッド１５に第１開口部２７から一部が突出するように収容された状態で取り付けられるインナーヘッド１６と、グリップ部１２に第２開口部６３から一部が突出するように収容された状態で取り付けられるパイプ部材６５とは、連通状態で回転可能に接続されている。この構成によれば、内部に湯水が流れるインナーヘッド１６及びパイプ部材６５は、それぞれアウターヘッド１５及びグリップ部１２に収容されているため、湯水に対する断熱性を確保できる。加えて、パイプ部材６５に対してインナーヘッド１６が回転可能に接続されているため、グリップ部１２に対するヘッド部１３の向きを変えることができる。したがって、断熱性を確保しつつ、使い勝手を向上することができる。
【００６７】
（６）シャワーヘッド１１において、第１パイプ部材６７の先端部６７ａ（第２突出部）はインナーヘッド１６の管部３０の基端部３０ｂに回転可能に挿嵌され、インナーヘッド１６の管部３０の基端部３０ｂ（第１突出部）には第２開口部６３が外嵌している。この構成によれば、第１パイプ部材６７に対してインナーヘッド１６を回転させる際の回転中心がぶれにくくなるので、第１パイプ部材６７（グリップ部１２）に対してインナーヘッド１６（ヘッド部１３）を精度よく安定して回転させることができる。この場合、インナーヘッド１６の管部３０の基端部３０ｂが第１開口部２７から突出するとともに第１パイプ部材６７の先端部６７ａが第２開口部６３から突出している。このため、基端部３０ｂが第１開口部２７から突出しない場合または先端部６７ａが第２開口部６３から突出しない場合に比べて、基端部３０ｂ及び先端部６７ａの軸方向における基端部３０ｂと先端部６７ａとの連結部分の長さを短く抑えることができる。
【００６８】
（７）シャワーヘッド１１において、グリップ部１２には、シャワールームなどの磁性を有した壁面に対して磁力によって着脱自在に吸着可能なマグネットユニット１４が設けられている。この構成によれば、シャワーヘッド１１を上記壁面における任意の位置に磁力によって吸着させて使用することができる。
【００６９】
（８）シャワーヘッド１１において、グリップ部１２の壁部に設けられた取付部７９は上記壁部を貫通する貫通孔８１と貫通孔８１に挿入されるフランジナット８２とを備え、フランジナット８２は回転及び上記壁部の外側への移動が規制された状態でパイプ部材６５に接触している。この構成によれば、取付部７９のフランジナット８２にねじ７８を螺入することによってマグネットユニット１４をグリップ部１２の壁部に取り付けることができるので、上記壁部にねじ７８を直接螺入する必要がない。このため、グリップ部１２の壁部の厚さをねじ７８が十分に螺入できる厚さまで厚くする必要がない。したがって、取付部材がねじ７８によって取り付けられるグリップ部１２の壁部の厚さを薄くすることができる。
【００７０】
（９）シャワーヘッド１１において、ナットは、フランジ部８３と外形が正六角形状をなすナット部８４とを有し、ナット部８４がグリップ部１２の壁部の内側から貫通孔８１に挿入されるフランジナット８２であり、貫通孔８１は、ナット部８４の外形と対応する形状になっており、フランジ部８３は、貫通孔８１よりも最大幅が広い。この構成によれば、フランジナット８２のフランジ部８３は、貫通孔８１よりも最大幅が広いため、グリップ部１２の壁部の外側へのフランジナット８２の移動を規制する規制部として機能する。すなわち、ナットをフランジナット８２にすることで、グリップ部１２の壁部の外側へのナットの移動を規制する規制部をグリップ部１２の壁部に設ける必要がないので、グリップ部１２の壁部の厚さをより一層薄くすることができる。
【００７１】
（１０）シャワーヘッド１１において、第１パイプ部材６７におけるフランジナット８２と対応する位置には、フランジナット８２がグリップ部１２の壁部の外側から内側に向かって押圧された場合にフランジナット８２を受け止める受止部８５が設けられている。この構成によれば、フランジナット８２にねじ７８を螺入する場合に、受止部８５によってフランジナット８２ががたつくことを抑制できる。このため、フランジナット８２にねじ７８を安定して螺入することができる。
【００７２】
（１１）シャワーヘッド１１において、ねじ７８が螺入されるフランジナット８２はグリップ部１２を構成する合成樹脂よりも硬い金属によって構成されているため、フランジナット８２の厚さ（雌ねじ部分の長さ）を薄く（短く）しても強度を確保できる。加えて、フランジナット８２のナット部８４はナット部８４の厚さと同じ深さの貫通孔８１に収容（遊嵌）されているため、フランジナット８２の厚さが取付部７９の厚さになっている。したがって、グリップ部１２の壁部に設けられた取付部７９の厚さをより薄くすることができる。
【００７３】
（変更例）
なお、上記実施形態は次のように変更してもよい。
・図１５に示すように、取付部７９において、貫通孔８１を段付孔１００に変更し、フランジナット８２を段付孔１００に回転不能に挿入されるフランジ部を有さない通常の六角ナット１０１に変更してもよい。
【００７４】
・図１６に示すように、取付部７９において、貫通孔８１を段付孔１０２に変更し、フランジナット８２を段付孔１０２に回転不能に挿入される六角段付ナット１０３に変更してもよい。このようにすれば、六角段付ナット１０３は、上述の六角ナット１０１に比べてねじ溝の距離が長いので、ねじ７８（図１０参照）との螺合距離を稼ぐことができる。
【００７５】
・インナーヘッド１６に固定部を２つ以上設け、アウターヘッド１５に２つ以上の固定部をそれぞれ掛止可能な２つ以上の掛止部を設けるようにしてもよい。この場合、全ての固定部を掛止部によってそれぞれ掛止することによってアウターヘッド１５にインナーヘッド１６を取り付けるようにしてもよい。すなわち、ねじを全く使わずにアウターヘッド１５にインナーヘッド１６を取り付けるようにしてもよい。
【００７６】
・インナーヘッド１６における被掛止部４５と一対の挿通孔４３との位置を入れ替えるとともに、アウターヘッド１５における掛止部２２と一対のボス部２０との位置を入れ替えるようにしてもよい。
【００７７】
・アウターヘッド１５に位置決め凸部１９の代わりに位置決め部として凹部を設け、インナーヘッド１６に位置決め凹部３５の代わりに位置決め部として上記凹部と凹凸嵌合可能な凸部を設けるようにしてもよい。
【００７８】
・アウターヘッド１５の位置決め凸部１９及びインナーヘッド１６の位置決め凹部３５は、省略してもよい。
・インナーヘッド１６における散水板取付部としての凹部３４は省略してもよい。この場合、散水板１７はアウターヘッド１５に取り付けられる。
【００７９】
・グリップ部１２には、マグネットユニット１４の代わりに吸着部として吸盤を設けるようにしてもよい。
・グリップ部１２におけるマグネットユニット１４は省略してもよい。
【００８０】
・インナーヘッド１６の管部３０の基端部３０ｂ（第１突出部）を第１パイプ部材６７の先端部６７ａ（第２突出部）に回転可能に挿嵌し、第１パイプ部材６７の先端部６７ａ（第２突出部）に第１開口部２７を外嵌させるようにしてもよい。
【００８１】
・第１パイプ部材６７における受止部８５は省略してもよい。
・取付部材は、必ずしも吸着部である必要はなく、例えば化粧板などによって構成してもよい。
【００８２】
・インナー部材は、必ずしもパイプ部材６５である必要はなく、グリップ部１２のケース６１内に固定されたパイプ部材６５以外の部品であってもよい。
・第１条件及び第２条件のうちいずれか一方は満たされていなくてもよい。
【符号の説明】
【００８３】
１１…シャワーヘッド、１２…グリップ部、１４…取付部材を構成する吸着部の一例としてのマグネットユニット、６５…インナー部材の一例としてのパイプ部材、７８…ねじ、７９…取付部、８１…貫通孔、８２…ナットの一例としてのフランジナット、８３…フランジ部、８４…ナット部、８５…受止部。
【図１】
2020025775.tif 000003
【図２】
2020025775.tif 000004
【図３】
2020025775.tif 000005
【図４】
2020025775.tif 000006
【図５】
2020025775.tif 000007
【図６】
2020025775.tif 000008
【図７】
2020025775.tif 000009
【図８】
2020025775.tif 000010
【図９】
2020025775.tif 000011
【図１０】
2020025775.tif 000012
【図１１】
2020025775.tif 000013
【図１２】
2020025775.tif 000014
【図１３】
2020025775.tif 000015
【図１４】
2020025775.tif 000016
【図１５】
2020025775.tif 000017
【図１６】
2020025775.tif 000018